(57)【特許請求の範囲】
【請求項１】
変動ゲームが特定態様であったことに基づいて遊技者に有利な特賞遊技に移行可能に制御される遊技機において、
前記特賞遊技中に再生可能な曲データを複数記憶する曲データ記憶手段と、
前記曲データ記憶手段に記憶された曲データを再生する曲データ再生手段と、
前記特賞遊技終了後から特定遊技期間における前記特賞遊技の発生を連続特賞遊技と判定する連続特賞遊技判定手段と、
を備え、
前記曲データ再生手段は、
前記連続特賞遊技判定手段によって判定された前記連続特賞遊技の発生回数の増加に応じて前記曲データ記憶手段に記憶されている曲データの再生可能な曲データを変更可能に構成され、
前記連続特賞遊技判定手段による判定結果が前記連続特賞遊技でない場合は、再生可能な曲データを初期状態に変更し、
前記特賞遊技が発生すると曲データを視覚的に選択可能にした曲データ選択メニューが表示され、この曲データ選択メニューの表示は前記初期状態で再生可能な所定の曲データが選択対象となった初期表示状態で開始され、遊技者の演出選択操作を受け付ける操作受付手段の操作結果に対応して再生曲データを特定し、
所定の選択期間内に前記操作受付手段への操作受付がない場合は、前記曲データ選択メニューの初期表示状態で選択対象となる前記所定の曲データを再生曲データとして特定することを特徴とする遊技機。
【発明の詳細な説明】
【技術分野】
【０００１】
本発明は、パチンコ機や雀球遊技機、スロットマシンなどの遊技機に関する。
【背景技術】
【０００２】
近年の遊技機は、遊技者の興趣を高めるために、表示演出、装飾演出、音声演出はますます華美になる傾向にある。そうしたなか、遊技者を積極的に遊技に参加させて遊技に興味を持たせることを狙うなど、また従来と異なったアプローチで遊技者の興趣向上を狙った遊技機の提案がある。
【０００３】
例えば、複数の視点画像データのうちのいずれか一の視点画像データを画像表示手段に予め表示しておき、遊技者が操作する操作手段から操作信号が発せられたときには、一の視点画像データから他の視点画像データへ変更し、変更した視点画像データを画像表示手段に表示するものがある（例えば、特許文献１）。
【先行技術文献】
【特許文献】
【０００４】
【特許文献１】特開２００５−２０５１１０号公報
【発明の概要】
【発明が解決しようとする課題】
【０００５】
しかしながら、前述のような演出面を充実させた遊技機では、演出を制御するための記憶装置の容量が大型化する傾向にあり、開発期間の長期化、開発コストの上昇という問題を抱えるようになった。また、近時の遊技機市場の状況は、市場ニーズが多様化し、市場には多くの機種が投入され、遊技場においても新機種として導入する遊技機の導入台数が少数化する傾向が顕著になってきた。このような、市場の変化に対応するために、遊技機メーカは、性能違いのシリーズ機のラインナップを充実させることにより、幅広く遊技場のニーズを汲み取ることが求められるようになっている。しかしながら、シリーズ機の増加は開発期間の短縮を困難にするばかりか、開発期間、商品管理、在庫管理の面からコストが増加する方向にある。
【０００６】
そこで本発明は、シリーズ機が多様化した状況下であっても、演出面を充実させた上で、コスト低減が可能な遊技機の提供を目的とする。
【課題を解決するための手段】
【０００７】
本願請求項１に記載の遊技機は、
変動ゲームが特定態様であったことに基づいて遊技者に有利な特賞遊技に移行可能に制御される遊技機において、
前記特賞遊技中に再生可能な曲データを複数記憶する曲データ記憶手段と、
前記曲データ記憶手段に記憶された曲データを再生する曲データ再生手段と、
前記特賞遊技終了後から特定遊技期間における前記特賞遊技の発生を連続特賞遊技と判定する連続特賞遊技判定手段と、
を備え、
前記曲データ再生手段は、
前記連続特賞遊技判定手段によって判定された前記連続特賞遊技の発生回数の増加に応じて前記曲データ記憶手段に記憶されている曲データの再生可能な曲データを変更可能に構成され、
前記連続特賞遊技判定手段による判定結果が前記連続特賞遊技でない場合は、再生可能な曲データを初期状態に変更し、
前記特賞遊技が発生すると曲データを視覚的に選択可能にした曲データ選択メニューが表示され、この曲データ選択メニューの表示は前記初期状態で再生可能な所定の曲データが選択対象となった初期表示状態で開始され、遊技者の演出選択操作を受け付ける操作受付手段の操作結果に対応して再生曲データを特定し、
所定の選択期間内に前記操作受付手段への操作受付がない場合は、前記曲データ選択メニューの初期表示状態で選択対象となる前記所定の曲データを再生曲データとして特定することを特徴とする。
【発明の効果】
【０００８】
請求項１に記載の遊技機によれば、連続特賞遊技の発生回数に応じてＢＧＭが変更可能になる。このため、高い演出効果が得られ、演出面が充実する。遊技者にとっては、ＢＧＭが変更できるという楽しさがある上に、連続特賞遊技の発生回数を例えば増やさないと特定のＢＧＭに変更できないため、その特定のＢＧＭ（レアもの）を鑑賞するためにも、連続特賞遊技の発生回数を例えば増やそうとする意欲が高まり、特賞を連続させた感激もその分高まるからである。
【図面の簡単な説明】
【０００９】
【図１】パチンコ機の遊技盤の前面図である。
【図２】パチンコ機の制御系を示すブロック図である。
【図３】ＢＧＭ制限処理を示すフローチャートである。
【図４】ＢＧＭ選択処理を示すフローチャートである。
【図５】ＢＧＭメニューの表示例（選択肢の範囲が最も狭い場合）を示す図である。
【図６】ＢＧＭメニューの表示例（選択肢の範囲が変化する場合）を示す図である。
【図７】ＢＧＭメニューの表示例（遊技者の選択操作で変化する場合）を示す図である。
【図８】ＢＧＭ構成処理を示すフローチャートである。
【図９】ＢＧＭ演出に関するデータ構成や情報の流れを示す図である。
【図１０】ブロック化されたＢＧＭのデータと演奏されるデータの例を示す図である。
【図１１】ブロック化されたＢＧＭのデータと演奏されるデータの他の例を示す図である。
【図１２】センターケース（装飾ユニット取付け状態）を示す斜視図である。
【図１３】センターケース（装飾ユニット取外し状態）を示す斜視図である。
【発明を実施するための形態】
【００１０】
以下、本発明の実施の形態として、パチンコ機に適用した場合の形態例を、図面を参照して説明する。
Ａ．遊技盤の前面構成
図１は本形態例のパチンコ機の遊技盤１の前面図である。
図１において、符号１は遊技盤であり、前面の略円形領域がガイドレール２で囲まれることにより遊技領域３が形成されている。
遊技盤１の前面には、図１に示すように、アウト球流入口４、センターケース１０、普通電動役物タイプの始動入賞口１１、変動入賞装置１２、一般入賞口１３〜１６、普図表示器１７（図２に示す）、普図記憶表示器１８（図２に示す）、普図始動ゲート１９、特図表示器２０（図２に示す）、特図記憶表示器２１（図２に示す）、遊技状態表示器２２（図２に示す）、サイドランプ２３、多数の遊技釘５などが設けられている。なお遊技釘５は、遊技領域３の上部に飛入した遊技球がこれに当たりながら流下するものであり、センターケース１０等の取付部分を除いた遊技領域内に複数本植設されている。
【００１１】
センターケース１０は、遊技盤１の裏側に取り付けられる表示装置６（図２に示す）の表示部７の前面周囲を囲む部材である。このセンターケース１０の構成は、後述する。
表示装置６は、数字や文字などの識別情報（場合により特図という）を表示可能な表示部７（画面）が形成された表示ユニット（例えば、液晶表示装置よりなるもので、図示省略する）を内蔵し、複数列の特図を表示可能である。例えば、左側と中央と右側に特図を縦３列に表示し、各列において数字や文字等よりなる特図を停止状態で表示（停止表示）したり、あるいは変動状態（例えば、縦方向にスクロールする状態）で表示（即ち、変動表示）したりすることが可能である。また表示部７には、上記特図とは別個に背景画像やキャラクタ画像などの演出用又は情報報知用の画像が表示可能である。
【００１２】
また、始動入賞口１１は、後述するように特図の始動入賞口として機能する入賞口であり、入賞口としての開口部分の開度を変化させる開閉部材１１ａを有する。この始動入賞口１１は、センターケース１０の中央部下方に配置されている。
また、変動入賞装置１２は、後述する大当りになったことを条件として開放される大入賞口１２ａを有する装置である。
【００１３】
次に、普図表示器１７は、図１では図示省略しているが、例えば変動入賞装置１２の右側に配置され、いわゆる普図の表示を行う表示器（例えば点滅する複数のランプよりなるもの）である。
また、普図記憶表示器１８は、図１では図示省略しているが、例えば普図表示器１７の周囲４箇所に設けられた小さなランプよりなり、そのランプの点灯数によって、普図始動ゲート１９を遊技球が通過することにより発生した普図の始動記憶の数（この場合、上限数が４個）を表示するものである。
【００１４】
次に、特図表示器２０は、図１では図示省略しているが、例えば変動入賞装置１２の左側に配置され、本特図としての数字等を表示可能な７セグメントの表示器であり、始動入賞口１１への入賞により発生した特図の始動記憶に基づいて本特図の変動表示を実行するためのものである。なお、この特図表示器２０によって表示されるものが本特図であるのに対して、前述の表示装置６の表示部７で行われる特図の表示は、演出用のダミー表示である。
また、特図記憶表示器２１は、図１では図示省略しているが、例えば特図表示器２０の周囲４箇所に設けられた小さなランプよりなり、そのランプの点灯数によって、始動入賞口１１への入賞により発生した始動記憶の数（この場合、上限数が４個）を表示するものである。
また、遊技状態表示器２２は、やはり図１では図示省略しているが、例えば特図記憶表示器２１の隣に設けられた２個の小さなランプよりなり、その点灯状態によって、特図の変動表示ゲームの遊技状態を報知する。
【００１５】
Ｂ．センターケースの構成
次に、本例のセンターケース１０の構成を、図１や図１２及び図１３によって説明する。図１２は、センターケース１０（装飾ユニット取付け状態）を示す斜視図であり、図１３は、センターケース１０（装飾ユニット取外し状態）を示す斜視図である。
遊技盤１を構成する基板（いわゆるベニヤ）には、センターケース１０をはめ込むためのセンターケース用開口（図示省略）が形成されており、センターケース１０は、このセンターケース用開口にはめ込まれて取り付けられる。このセンターケース１０は、前面に開口し後方に窪んだ凹室３０を内側に有し、この凹室３０の奥手面に窓用開口部３１が形成されている。窓用開口部３１は、表示装置６の表示部７を前面から視認可能とするものである。
【００１６】
またセンターケース１０には、その凹室３０の底部に、遊技球が転動可能ないわゆる球見せ用のステージ部３３が形成されている。
ステージ部３３は、ここに流入した遊技球を転動させた後、所定の確率で始動入賞口１１へ誘導する部分である。
【００１７】
また、センターケース１０の左側部には、遊技球をステージ部３３内に誘導するワープ誘導部３８が設けられている。このワープ誘導部３８には、例えばセンターケース１０の上に流下して左に流れ落ちた遊技球等が、遊技釘に当って、ある程度の確率で流入するようになっている。また、このようにワープ誘導部３８から流入した遊技球は、若干奥側に案内された後、ステージ部３３上に流入する構成となっている。
なお、ステージ部３３上には、このようにワープ誘導部３８を経由した遊技球に限られず、例えば遊技釘に当って跳ねた遊技球が前面から直接入ってくる構成であってもよい。
【００１８】
また、このセンターケース１０の凹室３０の右側には、特定の人物等のキャラクタを模した人形部分を含む装飾ユニット４１が設けられている。この装飾ユニット４１は、前記人形部分が踊るように動いて演出する機能を持ち、前記人形部分を駆動する駆動源や駆動機構を含むユニットである。そしてこの装飾ユニット４１は、当該装飾ユニット４１への駆動電力供給等のためのコネクタ配線（図示省略）が当該装飾ユニット４１の裏面側に設けられ、このコネクタ配線がセンターケース１０の裏面側で中継基板（図示省略）に接続されていて、前記コネクタ配線を前記中継基板から外すことにより、配線部分も容易に接続状態を解除でき、図１３に示すように、センターケース１０の前面側から容易に取り外すことが可能となっている。
また、センターケース１０の上辺部には、前方に突出する庇状の鎧部４７が設けられている。鎧部４７は、遊技球が表示部７の前面に落下しないようにする部分であり、打ち込まれた遊技球を必ずセンターケース１０の側方（主に左側）に案内する。
【００１９】
Ｃ．制御系の構成
次に、本例のパチンコ機の制御系統について、図２及び図９を参照して説明する。図２は制御系統全体のブロック図である。また図９は、ＢＧＭ演出に関するデータ構成や情報の流れを示す図である。
図２において、遊技制御装置１００は、遊技の総括的制御（遊技進行の制御やそのための各被制御機器の直接的又は間接的な制御含む）を行う制御装置であり、パチンコ遊技等に必要な役物制御を行うワンチップマイコンからなる遊技用マイコン１０１（遊技用マイクロコンピュータ：いわゆるアミューズチップ用のＩＣとして製造）と、入力インターフェース１０２と、出力インターフェース１０３と、外部通信端子１０４を含んで構成されている。
なお本例の場合、この遊技制御装置１００が、本発明の遊技制御手段を構成し、演出制御指令や機種特定指令を送出する指令送出手段としての機能を有する。また、この遊技制御装置１００からなるメイン制御系は、同じシリーズ機であっても、機種（性能違いの機種）に応じて当然異なる。但し本例では、上記メイン制御系を除いた部分、即ち、サブ制御系（後述する演出制御装置１２０等よりなる制御系）や遊技盤１などの構成は、同じシリーズ機であれば、製造過程において共通部品として扱うことが可能となる。
【００２０】
ここで、遊技制御装置１００の入力インターフェース１０２には、始動口ＳＷ（特図始動センサ）５１、カウントＳＷ（カウントセンサ）５３、入賞口センサＬ５４、入賞口センサＲ５５、及びゲートＳＷ（ゲートセンサ）５６、からの検出信号が入力される。
ここで、始動口ＳＷ５１は、遊技領域３３に設けられた特図の始動入賞口１１に入賞した遊技球を１個ずつ検出するセンサであり、カウントＳＷ５３は、遊技領域３３に設けられた特別変動入賞装置１２の大入賞口１２ａに入賞した遊技球を１個ずつ検出するセンサである。また、入賞口センサＬ５４又は入賞口センサＲ５５は、遊技領域３３に設けられた一般入賞口１３〜１６に対して設けられたセンサである。前記一般入賞口に入賞した遊技球は、入賞口センサＬ５４又は入賞口センサＲ５５のうちの何れか一方によって検出される構成となっている。また、ゲートＳＷ５６は、前述した普図始動ゲート１９を通過する遊技球を検出するセンサである。
【００２１】
一方、遊技制御装置１００の出力インターフェース１０３からは、前述の特別変動入賞装置１２の大入賞口１２ａの開閉扉を駆動する大入賞口ソレノイド（大入賞口ＳＯＬ）７２や、前述の始動入賞口１１の開閉部材１１ａを駆動する普電ソレノイド（普電ＳＯＬ）７１や、遊技店の管理装置に対して盤用外部情報（例えば、大当り信号等）を送信するための盤用外部情報端子７３に信号が出力される。
【００２２】
また、出力インターフェース１０３からは、排出制御装置７４に対して、賞球データ等の信号が出力される。即ち、遊技制御装置１００は、遊技盤１０の各入賞口に対して設けられた始動口ＳＷ５１，カウントＳＷ５３、入賞口センサＬ５４、又は入賞口センサＲ５５により遊技球の入賞が検出されると、入賞口の入賞価値に対応して予め設定された賞球数の情報（賞球データ）を、排出制御装置７４へ送信する。そして、排出制御装置７４では、この賞球データを受信して、それに応じた賞球排出制御を行う。
【００２３】
また、出力インターフェース１０３からは、前述の表示装置６等を制御する表示制御装置１１０に対して、制御情報が送信される。この制御情報には、後述する表示制御情報の他に、図９に示すように、演出制御指令（演出指定情報）や、機種特定指令（機種特定情報）が含まれる。ここで、演出制御指令は、表示制御装置１１０等によって構成される演出制御装置１２０が演出内容を決めるための情報であり、表示制御情報や機種特定指令が、この演出制御指令の全部又は一部としても機能する構成もあり得る。また、機種特定指令は、遊技制御装置１００からなるメイン制御系の機種（同じシリーズ機における性能違いの機種含む）を特定する情報であり、例えば図９に示すような機種コード（ＡＢＣ、ＸＹＺ）である。なお、同じシリーズ機における性能違いの機種は、５〜６機種あるのが通常であり、この機種の違いによって、例えば後述する大当りのラウンド数が異なる。また、この機種特定指令の情報は、遊技制御装置１００の例えばマイコン１０１のＲＯＭに記憶される。
【００２４】
次に、表示制御装置１１０は、表示装置６の画像表示制御等を実行する制御装置であり、やはりＣＰＵ１１１を含むマイクロコンピュータよりなり、遊技制御装置１００から送信される制御情報に基づき表示装置６などを制御する。例えば、変動表示ゲームを実行する際には、遊技制御装置１００から停止図柄の組み合わせ（結果態様）のデータと、変動時間のデータとを含む表示制御情報が、この場合送信される構成となっており、表示制御装置１１０では、この停止態様と変動時間を満足する変動態様を選択して、表示装置６に特図（識別情報）を変動表示させて最終的に特定の図柄の組み合わせ（結果態様）を導出表示する変動表示ゲームを行う構成となっている。なお、表示制御装置１１０の制御で実際に実施される特図の変動表示の態様（変動態様）は、遊技制御装置１００からの表示制御情報によって一義的に決定されてもよいが、上記表示制御情報で与えられた条件の範囲で、表示制御装置１１０が乱数抽出などによって変動態様を最終的に選択する構成（表示制御装置１１０にも変動態様を選択する、ある程度の裁量が与えられた構成）となっていてもよい。
【００２５】
また、表示制御装置１１０は、図２のように、ＣＰＵ１１１、制御用プログラムや固定データを記憶するＲＯＭ１１２、ＣＰＵ１１１の作業領域を提供したり遊技制御装置１００から送信される制御情報を記憶するＲＡＭ１１３、通信インターフェース１１５、表示装置６を表示駆動するＧＤＰ（グラフィックディスプレイプロセッサ）１１６、画像や文字等の表示データを格納した画像ＲＯＭ１１７、入力インターフェース１１８、出力インターフェース１１９から構成される。入力インターフェース１１８は、操作スイッチ１３０からの信号をＣＰＵ１１１に入力する。操作スイッチ１３０は、遊技者の演出選択操作を受け付ける操作受付手段であり、例えば当該パチンコ機の下皿（遊技盤１の下方に設けられ、遊技球を貯留する皿状部分）の表面等に設けられたプッシュボタンを遊技者が押す操作をすることによってオンするスイッチである。また、出力インターフェース１１９からは、遊技店の管理装置に対して外部情報（例えば、異常の情報等）を送信するための外部情報端子１２１に信号が出力される。
【００２６】
ここで、通信インターフェース１１５を介して遊技制御装置１００から表示制御情報が入力されると、表示制御装置１１０は次のように表示制御を行う。まず、通信インターフェース１１５からＣＰＵ１１１に対して受信割込みがかかり、これに応じてＣＰＵ１１１は表示制御情報を受信してＲＡＭ１１３に格納する。そして、ＣＰＵ１１１は、受信した表示制御情報を解析し、例えば特図の変動表示の場合であれば、それに含まれる結果態様や変動時間の情報に基づいて、変動表示の内容を決定し、その変動表示を実現する表示データ（表示する図柄のコードや表示位置データやスクロールなどのコマンド等よりなるデータ）を生成してＲＡＭ１１３に格納する。
次いでＧＤＰ１１６は、ＲＡＭ１１３の上記表示データを内部ＲＡＭに読み込み展開する。即ち、表示する特図や演出図柄やキャラクタのコードに対応して画像ＲＯＭ１１７に格納されているキャラクタフォントデータを読み出し、表示位置データ等に従って表示すべき画像データ（背景画像含む）を生成して内部ＲＡＭの表示画像格納領域に格納する。
その後ＧＤＰ１１６は、前記表示画像格納領域から画像データを読み出して表示装置３４の表示駆動信号を形成する。これによって、表示装置３４の画面上に所定の表示が行われる。
【００２７】
また表示制御装置１１０は、音制御装置７５を介して当該パチンコ機２のスピーカ（図示省略）を制御して所定の音響効果やＢＧＭによる演出を実現し、装飾制御装置７６を介して各種ランプ類（例えば、サイドランプ２３）の点灯制御も実行する。
なお、表示制御装置１１０と音制御装置７５と装飾制御装置７６は、演出制御装置１２０を構成する。
【００２８】
そして本例の場合、上記演出制御装置１２０は、遊技制御装置１００（遊技制御手段）から送出される演出制御指令に基づいて特図の変動表示ゲームの演出を制御する本発明の演出制御手段を構成する。
また演出制御装置１２０の何れかの記憶手段（例えば音制御装置７５内の記憶手段）は、演出制御するための演出の選択肢となる複数の演出（本例の場合、ＢＧＭ）のデータを記憶する演出記憶手段を構成する。なお本例の場合、この演出記憶手段は、前記複数の演出（ＢＧＭ）のデータをブロック化してブロックデータとして分割記憶する。即ち、例えば図９の中段に示すように、一つの曲データ（ＢＧＭ１）を、３個のブロック（ＢＧＭ１（１）〜（３））に分けて記憶している。ちなみに図９は、３曲分のデータ（ＢＧＭ１〜３）を、それぞれ３個のブロック（ＢＧＭ１（１）〜（３）、ＢＧＭ２（１）〜（３）、ＢＧＭ３（１）〜（３））に分けて記憶している状態を示している。
また演出制御装置１２０の何れかの記憶手段（例えば音制御装置７５内の記憶手段）は、前記複数のブロックデータから所要のブロックデータを選択してＢＧＭを構築するための複数の構築データを記憶する構築データ記憶手段を構成する。なお、図９の下段には、この構築データの具体例を示す。
【００２９】
また演出制御装置１２０は、次の手段（演出選択範囲変更手段、演出選択手段、演出構築手段）としての機能を実現する制御処理も実行する。
即ち演出制御装置１２０は、前記演出制御指令により特定される遊技状態に基づいて前記演出の選択肢の範囲を変更する演出選択範囲変更手段としての機能を実現する（詳細後述する）。
また演出制御装置１２０は、操作ＳＷ１３０（操作受付手段）の操作受付に従い、前記選択肢の範囲における複数の演出から、前記演出制御指令に基づく演出制御をするための演出を選択する演出選択手段としての機能を実現する（詳細後述する）。
また演出制御装置１２０は、前記機種特定指令に基づいて前記構築データを選択し、該構築データにより前記分割記憶されたブロックデータから当該機種に対応するＢＧＭを構築する演出構築手段としての機能を実現する（詳細後述する）。
なお、後述する図５等に示すメニュー画面の表示データは、上記表示制御装置１１０の例えば画像ＲＯＭ１１７に記録されており、また後述するＢＧＭの曲データは、例えば音制御装置７５内の記憶手段に記憶されている。
【００３０】
Ｄ．ＢＧＭ演出の制御
次に、特賞期間中のＢＧＭ演出の制御、即ち、演出制御装置１２０の機能（演出選択範囲変更手段、演出選択手段、演出構築手段）を実現するための制御処理について、図３、図４、図８〜図１１によって説明する。
まず図８は、ＢＧＭ構成処理を示すフローチャートである。この処理は、少なくとも電源投入時又は停電からの復帰時、或いは大当りが判定されて大当り状態に移行するまでの何れかのタイミング（例えばファンファーレ演出が行われる際）で実行される。なお、電源投入時又は停電からの復帰時、或いは大当り状態に移行するまでの何れかのタイミングには、必ず前述した機種特定指令が遊技制御装置１００から送信される構成となっている。極端な態様としては、遊技制御装置１００から演出制御装置１２０に送信される全ての制御情報に機種特定指令が含まれていてもよい。
【００３１】
この処理が開始されると、ステップＳ１で、前述した機種特定指令を遊技制御装置１００から受信したか否か判定し、受信すればステップＳ２に進み、受信しなければこのＢＧＭ構成処理を終了してリターンする。
ステップＳ２では、受信した機種特定指令に応じて指定機種を更新し、ステップＳ３に進む。
ステップＳ３では、更新された指定機種に応じて、特賞期間中のＢＧＭのデータを構築し、その後このＢＧＭ構成処理を終了してリターンする。
なお、ステップＳ３におけるＢＧＭデータの構築は、前記機種特定指令に基づいて構築データ（例えば図９の下段に示すもの）の何れかを選択し、該構築データに従ってブロック化された曲データ（例えば図９の中段に示すもの）を、機種の違いに応じた組み合わせで、各曲毎に組み合わせることによって行う。
【００３２】
例えば図９に示すように、機種がＡＢＣ（大当りラウンド数は１５）である場合、図９の下段左側に示す構築データを選択し、ＢＧＭ１については、１番目のブロック（ＢＧＭ１（１））を１回演奏した後、２番目のブロック（ＢＧＭ１（２））と３番目のブロック（ＢＧＭ１（３））を交互に繰り返し演奏する構成とし、他の曲（ＢＧＭ２、ＢＧＭ３）についても同様の構成とし、このような構成に曲データ（図９の中段に示すもの）を組み合わせて各ＢＧＭのデータを構築する。
また、機種がＸＹＺ（大当りラウンド数は８）である場合、図９の下段右側に示す構築データを選択し、ＢＧＭ１については、１番目のブロック（ＢＧＭ１（１））を演奏せず、最初から２番目のブロック（ＢＧＭ１（２））と３番目のブロック（ＢＧＭ１（３））を交互に繰り返し演奏する構成とし、他の曲（ＢＧＭ２、ＢＧＭ３）についても同様の構成とし、このような構成に曲データ（図９の中段に示すもの）を組み合わせて各ＢＧＭのデータを構築する。なお、図９の下段に示す構築データにおいて、Ｒ{（２）、（３）}は、２番目と３番目のブロックを交互にリピートする（繰り返す）ことを示している。
なお図９に示す例では、機種がＸＹＺの場合には、大当りラウンド数が８と短いので、曲のイントロ部分を省略して、曲のサビ部分を含む２番目以降のブロックのみを演奏する構成としている。
【００３３】
以上説明したＢＧＭ構成処理によれば、機種特定指令に基づいて、ブロック化した演出（ＢＧＭ）のデータが機種に応じた一連の演出（ＢＧＭ）のデータとして予め構築される。例えば、前述した機種ＡＢＣの場合、図１０（ａ）に示すＢＧＭ１のデータに対しては、図１０（ｂ）に示すように全てのブロック（ＢＧＭ１（１）〜（３））が演奏の対象として選択され、これらが例えば図１０（ｃ）に示す如く特賞期間中に演奏されるように、ＢＧＭのデータが構築される。また、前述した機種ＸＹＺの場合、図１１（ａ）に示すＢＧＭ１のデータに対しては、図１１（ｂ）に示すように二つのブロック（ＢＧＭ１（２）、（３））のみが演奏の対象として選択され、これらが例えば図１１（ｃ）に示す如く特賞期間中に演奏されるように、ＢＧＭのデータが構築される。
【００３４】
次に図３は、ＢＧＭ制限処理を示すフローチャートである。この処理は、大当りが判定されると開始される。
この処理が開始されると、まずステップＳ１１で、特定状態中の特賞であるか否か、即ち、確率変動状態又は時短状態における大当り発生（いわゆる連チャン）であるか否かが判定される。そして、特定状態中の特賞（連チャン）であれば、ステップＳ１２に進み、特定状態中の特賞でなければ（通常の大当り発生であれば）、ステップＳ１３に進む。
ステップＳ１２では、連続特賞回数（連チャンの回数）を、１回分増加させて、ステップＳ１５に進む。
ステップＳ１３に進むと、特賞期間中のＢＧＭの選択範囲を制限する設定（ＢＧＭ制限）を実行し、その後ステップＳ１４に進んで連続特賞回数を初期値（１回目）に設定し、次いでステップＳ１５に進む。なお、上記ＢＧＭ制限は、例えばＢＧＭ１〜３の３曲のうち１曲のみ（ＢＧＭ１）に選択範囲を制限する設定である。
【００３５】
ステップＳ１５に進むと、ＢＧＭ制限解除条件が成立しているか否か判定する。ＢＧＭ制限解除条件は、この場合段階的に設定されており（即ち、条件１と条件２があり）、例えば連続特賞回数が３以上であれば条件１が成立し、例えば連続特賞回数が５以上であれば条件２が成立する。そして、条件１又は条件２の何れかが成立していれば、ステップＳ１６に進み、何れも成立していなければ、このＢＧＭ制限処理を終了してリターンする。
【００３６】
次にステップＳ１６では、成立した条件に応じたＢＧＭ制限の解除処理を行う。即ち、ステップＳ１５で前記条件１が成立していると判定した場合には、例えばＢＧＭ１〜３の３曲のうちの２曲（ＢＧＭ１と２）に選択範囲を１曲分増やす設定を実行する。また、前記条件２が成立していると判定した場合には、例えばＢＧＭ１〜３の３曲のうちの全曲（ＢＧＭ１〜３）に選択範囲を増やす設定を実行する。
なお、ステップＳ１６を経ると、このＢＧＭ制限処理を終了してリターンする。
【００３７】
以上説明したＢＧＭ制限処理によれば、演出制御指令により特定される遊技状態に基づいて演出（ＢＧＭ）の選択肢の範囲が変更される。この場合、演出は、特賞期間中のＢＧＭであり、演出の選択肢の範囲は、選択可能な前記ＢＧＭの数であり、例えば特賞期間の連続回数の増加に応じて前記選択肢の範囲（即ち選択可能なＢＧＭの曲数）が大きくなる（増える）。
上述した具体例の場合、特定状態にならずに大当りが連続しなければ、ステップＳ１３によって、選択可能なＢＧＭの曲数は１曲のみ（ＢＧＭ１のみ）に制限されたままである。ところが、特定状態になって大当りの連続回数が３回目になると、その３回目の大当りが判定された直後に、ステップＳ１５，Ｓ１６の処理によって、選択可能なＢＧＭの曲数は２曲（ＢＧＭ１及び２）に増える。また、さらに大当りの連続回数が５回目になると、その５回目の大当りが判定された直後に、ステップＳ１５，Ｓ１６の処理によって、選択可能なＢＧＭの曲数は３曲（ＢＧＭ１〜３）に増える。
【００３８】
次に図４は、ＢＧＭ選択処理を示すフローチャートである。この処理は、ファンファーレ演出の開始と同時に実行される。ファンファーレ演出は、大当りが判定された後であって、大当り状態に移行する前に実行される演出である。
この処理が開始されると、まずステップＳ２１で、ＢＧＭ選択時間が設定され、この時間を計時するタイマが始動する。ＢＧＭ選択時間は、ファンファーレ演出が行われているファンファーレ期間中に、遊技者の意思を反映したＢＧＭ選択を行いＢＧＭの曲目を確定させるための時間であり、ファンファーレ期間よりも短い時間（例えば、ファンファーレ期間が１５秒である場合には、１０秒）に設定される。
【００３９】
ステップＳ２１を経るとステップＳ２２に進み、操作ＳＷ１３０の操作が為されたか否か判定され、為されていない場合にはステップＳ２４に進み、為された場合にはステップＳ２３に進む。
ステップＳ２３では、ＢＧＭ選択を更新する処理、即ち、現在選択対象となっているＢＧＭの曲を次の曲に変更する処理を実行する。例えば、現在の選択対象がＢＧＭ１の場合には、選択対象をＢＧＭ２に切替え、現在の選択対象がＢＧＭ２の場合には、選択対象をＢＧＭ３に切替え、現在の選択対象がＢＧＭ３の場合、選択対象をＢＧＭ１に切替える。そして、ステップＳ２３を経るとステップＳ２４に進む。
【００４０】
なお、予めＢＧＭの選択対象として、前記選択肢の範囲（例えばＢＧＭ１〜３）の中の特定の演出（例えばＢＧＭ１）が初期値として設定されている。このため、遊技者がなんら操作ＳＷを操作せず、ステップＳ２３が一度も実行されない場合には、選択対象はその初期値のままとなる。
また、前述したＢＧＭ制限によって選択肢の範囲が制限されている場合には、その範囲内でのみ選択対象の切替えが行われ、選択肢の範囲が１曲のみである場合には、上記ＢＧＭ選択時間内であっても操作ＳＷ１３０は無効となる（即ち、操作ＳＷ１３０を押しても選択対象はそのまま維持される）。
【００４１】
ステップＳ２４では、ステップＳ２１で計時を開始したタイマがタイムアップしたか否か（即ち、ステップＳ２１の実行からＢＧＭ選択時間が経過したか否か）を判定し、タイムアップしていればステップＳ２５に進み、していなければステップＳ２２に戻ってステップＳ２２以降を繰り返す。
ステップＳ２５に進むと、その時点で選択対象となっているＢＧＭの曲を、次の特賞期間中のＢＧＭの曲目として確定させる処理を行い、このＢＧＭ選択処理を終了してリターンする。
【００４２】
以上説明したＢＧＭ選択処理によれば、操作ＳＷ１３０（操作受付手段）の操作受付に従い、前記選択肢の範囲における複数の演出から、前記演出制御指令に基づく演出制御をするための演出（ＢＧＭ）が選択される。さらにいえば、大当りとなって大当り状態（特賞期間）に移行する前のファンファーレ期間において、操作ＳＷ１３０の操作入力を有効とする操作受付時間（前述のＢＧＭ選択時間）が設けられ、この操作受付時間中に操作ＳＷ１３０によって演出選択操作を受け付けると、その演出選択操作に応じてＢＧＭの選択対象が切替えられ、前記操作受付時間が経過した時点で選択対象となっているＢＧＭが、最終的に選択されたものとして確定される。前述の具体例の場合には、ＢＧＭ選択時間中に、操作ＳＷ１３０が一度も操作されなければ、初期値であるＢＧＭ１となり、操作ＳＷ１３０が一度操作されれば、次のＢＧＭ２となり、操作ＳＷ１３０が二度操作されれば、次のＢＧＭ３となり、といったようにＢＧＭの曲目が確定する。
【００４３】
Ｅ．ＢＧＭ選択のメニュー表示
次に、特賞期間中のＢＧＭを遊技者が選択する際のメニュー表示例について、図５〜図７によって説明する。
本例では、ファンファーレ期間中に、図５〜図７に示すようなＢＧＭ選択のメニュー表示が、表示部７において実行される。
まず図５は、ＢＧＭ制限によって、選択できるＢＧＭがＢＧＭ１のみである状態（例えば、大当りの連続回数が２以下の場合）の表示例である。この場合、ＢＧＭ２，３の文字が点線等で表示（或いは薄く表示）されることにより、ＢＧＭ２，３の選択ができないことが報知され、操作ＳＷ１３０が押されても、前述した選択対象の切替えは行われず、表示内容は変化しない。
【００４４】
次に図６は、大当りの連続回数（前述の条件）に応じたＢＧＭ選択の範囲の変化に伴う、メニュー表示の変化を示す図であり、図中上段がＢＧＭ制限（選択できるのはＢＧＭ１のみ）の状態におけるメニュー表示の例を示し、図中中段がＢＧＭ制限（選択できるのはＢＧＭ１及び２のみ）の状態におけるメニュー表示の例を示し、図中下段がＢＧＭ制限解除の状態（選択できるのはＢＧＭ１〜３の全て）におけるメニュー表示の例を示している。既述したように、例えば大当り連続回数が３に到達して条件１が成立すると、図６の上段（初期状態）から図６の中段の状態に切替わり、大当り連続回数が５に到達して条件２が成立すると、図６の中段から下段の状態に切替わる。そして、大当りの連続（連チャン）が終了し新たな大当りが発生すると（条件３が成立すると）、前述のステップＳ１３の処理によって、図６の上段に戻る。
【００４５】
次に図７は、前述したＢＧＭ選択時間内の操作ＳＷ１３０の操作に応じたＢＧＭ選択のメニュー表示の変化を示している。なおこの場合、ＢＧＭ制限が解除されたケース（ＢＧＭ１〜３の全てが選択可能なケース）を例示している。この場合、初期状態（操作ＳＷ１３０が一度も操作されていない状態）では、図７の上段に示す表示になっていて、ＢＧＭ１の文字が最前に表示されて、ＢＧＭ１が現時点の選択対象であることが示されている。ところが、操作ＳＷ１３０が１回操作されると、前述のステップＳ２２、Ｓ２３の処理によって、選択対象がＢＧＭ２に切替わり、メニュー表示は図７の中段に示す状態になって、ＢＧＭ２の文字が最前に表示されて、ＢＧＭ２が現時点の選択対象であることが示される。また、操作ＳＷ１３０が２回操作されると、前述のステップＳ２２、Ｓ２３の処理によって、選択対象がＢＧＭ３に切替わり、メニュー表示は図７の下段に示す状態になって、ＢＧＭ３の文字が最前に表示されて、ＢＧＭ３が現時点の選択対象であることが示される。また、操作ＳＷ１３０が３回操作されると、前述のステップＳ２２、Ｓ２３の処理によって、選択対象がＢＧＭ１に切替わり、メニュー表示は図７の上段に示す状態（初期状態）に戻って、ＢＧＭ１の文字が最前に表示されて、ＢＧＭ１が現時点の選択対象であることが示される。このように、操作ＳＷ１３０が操作される度に、選択対象が循環的に切替わる。
なお、ＢＧＭ制限が為されたケース（ＢＧＭ１、２のみが選択可能なケース）では、同様に、操作ＳＷ１３０の操作によって選択対象がＢＧＭ１又は２に切替わり、メニュー表示もそれに対応したもの（図６の中段におけるＢＧＭ１とＢＧＭ２の位置が交互に切替わるもの）となる。
【００４６】
Ｆ．遊技の概要
次に、本形態例のパチンコ機で行われる遊技の概要や遊技の流れについて説明する。
まず、遊技開始当初の時点（或は遊技開始前の時点）では、客待ち状態（デモ中）となっており、客待ち画面の表示を指令する表示制御情報が遊技制御装置１００から表示制御装置１１０に送信され、表示装置６の画面（表示部７）には客待ち画面（動画又は静止画）が表示される。
【００４７】
そして、ガイドレール２を介して遊技領域３に打込まれた遊技球が、特図の始動入賞口１１に入賞すると（即ち、特図の始動入賞があると）、特図の変動表示を指令する表示制御情報が遊技制御装置１００から表示制御装置１１０に送信され、表示部７において特図（数字、文字、記号、模様等よりなるもの）が変動（例えば、スクロール）する表示（いわゆる変動表示）が行われて、変動表示ゲームが行われる。
【００４８】
そして、この変動表示ゲームの停止表示態様（変動表示により導出された特図の組合せ）が特定の態様（例えば、「３、３、３」などのゾロ目）であれば、大当りと呼ばれる特典が遊技者に付与される。なお制御上は、例えば始動入賞があったことを条件として、大当り乱数の値が抽出記憶されて、この抽出記憶された乱数値と予め設定された判定値とが判定時に比較判定され、この比較判定結果に基づいて、予め大当りとするか否かが決定され、この決定に応じて上記変動表示ゲームが開始される。
また、変動表示ゲームの停止表示態様が別の特定の態様（例えば、「７、７、７」などのゾロ目）であれば、上記大当りになるとともに、大当り遊技後（後述する特賞期間後）に、大当りになる確率を高める制御が行われる状態（確率変動状態）となる。また、変動表示ゲームの停止表示態様がさらに別の特定の態様（例えば、「５、５、５」などのゾロ目）であれば、上記大当りになるとともに、大当り遊技後に、変動表示ゲームの変動表示時間を短くし、結果として大当りになり易くする制御が行われる状態（時短状態）となる。
【００４９】
また、上記特定の態様が導出されて大当り状態（後述する特賞期間）に移行する前には、所定のファンファーレ演出（大当りになったことを報知して祝福するような効果音や表示の出力）が実行される。
そして、このファンファーレ演出が行われるファンファーレ期間に、既述したようなＢＧＭ選択が可能となり、遊技者が操作ＳＷ１３０を操作することによって、設定された選択範囲の中から特賞期間中のＢＧＭを選択することができる。但し、既述したように、選択範囲が制限されている場合には、選択できないか、選択できるＢＧＭの曲数が限定される。また、所定のＢＧＭ選択時間内に操作ＳＷ１３０を遊技者が一度も操作しなかった場合には、予め設定された初期値（例えば前述したＭＧＢ１）が特徴期間中のＢＧＭの曲目として決定される。
【００５０】
上記大当りになって大当り状態に移行すると、変動入賞装置１２の大入賞口１２ａが、規定時間（例えば、３０秒）を越えない範囲内において、例えば１０個入賞までの期間だけ一時的に開放される開放動作が行われる。そしてこの開放動作は、例えば、１５ラウンド或いは８ラウンド（機種によって異なる）まで行われる。また、この大当たり状態では、大当たり状態を演出したり大当たりラウンド数などを遊技者に報知するための大当たり画面の表示を指令する表示制御コマンドが遊技制御装置１００から表示制御装置１１０に送信され、表示部７では、このような大当たり中の表示が実行される。
【００５１】
なお、この大当り状態になっている期間（大入賞口１２ａが開放されている大当りラウンドの期間と、大当りラウンドと次の大当りラウンドの間のインターバル期間）が、本発明の特賞期間に相当する。
また、上記大当り状態（特賞期間）では、前記ＢＧＭ選択により選択されたＢＧＭの演奏が行われる。この際、前述したる装飾ユニット４１が作動してその人形部が踊る演出が行われてもよい。
【００５２】
また、上記特図の変動表示ゲーム中又は大当り中に、始動入賞口１１にさらに遊技球が入賞したときには、この場合特図記憶表示器２１で特図始動記憶表示が行われて例えば４個まで記憶され、変動表示ゲーム又は大当りが終了した後に、その記憶（即ち、始動記憶）に基づいて上記特図の変動表示ゲームが繰り返されたり、客待ち状態に戻ったりする。
即ち、変動表示ゲームが大当たりで終了すれば大当たり状態に移行し、変動表示ゲームがはずれで終了し始動記憶があれば再度変動表示ゲームが実行され、変動表示ゲームがはずれで終了し始動記憶がなければ客待ち状態に戻り、大当たりが終了して始動記憶があれば再度変動表示ゲームが実行され、大当たりが終了して始動記憶がなければ客待ち状態に戻る流れとなっている。
【００５３】
一方、遊技中に、遊技球が普図始動ゲート１９を通過したときは、普図表示器１７での普図の変動表示による普図の変動表示ゲームが行われる。そして、この変動表示ゲーム結果（停止した普図）が所定の態様であれば、普図当りと呼ばれる特典が付与される。
この普図当りになると、始動入賞口１１の一対の開閉部材１１ａが逆ハの字に開いた開放状態に、例えば０．５秒程度保持される遊技が行われる。これにより、始動入賞口１１に遊技球が入賞し易くなり、その分、特図の変動表示ゲームの実施回数が増えて大当りになる可能性が増す。
また、上記普図の変動表示ゲーム中に、普図始動ゲート１９にさらに遊技球が入賞したときには、普図記憶表示器１８で普図始動記憶表示が実行されてこの場合４個まで記憶され、普図の変動表示ゲームの終了後に、その記憶に基づいて上記普図の変動表示ゲームが繰り返される。
【００５４】
以上説明した本例の遊技機によれば、遊技状態に基づいて遷移する演出制御状態に従って演出の選択肢の範囲が変更され、この選択肢の範囲内において遊技者が演出を選択可能である。このため、高い演出効果が得られ、演出面が充実する。遊技者にとっては、演出が選択できるという楽しさがある上に、特定の演出制御状態を発生させないと特定の演出が選択できない（鑑賞できない）ため、その特定の演出（レアもの演出）を鑑賞するためにも、その特定の演出制御状態を発生させようとする意欲が高まり、その特定の演出制御状態を発生させた感激もその分高まるからである。
【００５５】
しかもこの遊技機によれば、上記演出の選択肢の範囲の変更や上記演出の選択の処理については、遊技制御手段（遊技制御装置１００）からの演出制御指令に基づいて、演出制御手段（演出制御装置１２０）において実行される構成であり、遊技制御手段は演出制御指令を出力するのみである。つまり、複雑な演出の制御を、機種に応じて必ず変更する必要のあるメイン制御系である遊技制御手段ではなく、サブ制御系である演出制御手段において遊技制御手段からの演出制御指令に基づいて行う構成である。このため、演出制御手段を含むサブ制御系を共用化すれば、複雑な演出の制御を行う部分を少なくともシリーズ内において共通化することができて、開発期間、商品管理、在庫管理の面で有利となり、シリーズ機が多様化した状況下であっても、演出面を充実させた上で、コスト低減が可能となる。
【００５６】
特に本例では、前記演出として特賞期間中のＢＧＭを遊技者が選択可能であり、その選択範囲（ＢＧＭの数）が、特賞期間の連続回数（演出制御状態）の増加に応じて大きくなる。このため、高い演出効果が得られ、演出面が充実する。遊技者にとっては、特賞中のＢＧＭが選択できるという楽しさがある上に、特賞の連続回数を増やさないと特定のＢＧＭが選択できない（鑑賞できない）ため、その特定のＢＧＭ（レアもの）を鑑賞するためにも、特賞の連続回数を増やそうとする意欲が高まり、特賞を連続させた感激もその分高まるからである。
【００５７】
また本例によれば、遊技者は、ファンファーレ期間において演出選択操作をすることによって、その後の特賞期間におけるＢＧＭを選択することができるため、遊技者にとって操作が分かり易く、また操作が遊技の邪魔になることがないという利点がある。また、遊技者による演出選択操作がなければ、初期値として設定された特定の演出であるＢＧＭが最終的に選択されるので、遊技者が操作を忘れた場合等でも、確実に演出が行われるという効果がある。
【００５８】
また本例によれば、演出制御手段における演出記憶手段が、複数のＢＧＭをブロック化して記憶し、演出制御手段は、遊技制御手段からの機種特定指令に基づいてブロック化したＢＧＭのデータを一連のＢＧＭとして構築して使用できる。このため、機種が変わっても演出記憶手段に記憶しておくＢＧＭのデータはブロック化されたもののみ（機種に無関係に共通）であり、機種毎に異なるＢＧＭのデータ（ブロック毎にみると重複するもの）をそれぞれ全て記憶しておく必要がなくなり、記憶するデータの重複がなくなる。したがって、ＢＧＭのデータを記憶しておく記憶容量（上記演出記憶手段の容量）が低減でき、この点でもコスト低減が可能となる。また、演出制御手段（サブ制御系）において、遊技制御手段（メイン制御系）からの機種特定指令に基づいてブロック化したＢＧＭのデータを一連の演出として構築するので、機種が変わってもサブ制御系を共用できる共通化を図りつつ、機種毎に異なる多様な演出内容とすることが容易に可能となる。
【００５９】
なお本発明は、上記形態例に限定されない。
例えば、上記形態例において、演出のデータをブロック化して記憶し、機種特定指令に基づいてブロック化した演出を一連の演出として構築する態様とする必要は必ずしもなく、例えば記憶容量の問題がなければ、機種毎の演出内容のデータを別個にそれぞれ記憶しておいてもよい。
また逆に、遊技者の操作によって演出を選択させたり、特賞連続回数等の遊技状態に応じて演出の選択肢の範囲を変更したりする機能が削除された態様（演出のデータをブロック化して記憶し、機種特定指令に基づいてブロック化した演出を一連の演出として構築する点にのみ特徴を有する構成）であってもよい。
また演出は、特賞期間中のＢＧＭに限られず、特賞期間以外のＢＧＭであってもよいし、ＢＧＭ以外のもの（例えば画像表示や、可動部材の動き等）でもよい。
例えば画像表示などでもよく、一連の画像表示データを複数のブロックデータとして機種毎の画像表示データを再構築するようにしてもよい。また、一連の可動部材の動き等を定義する、例えば、モータやソレノイドのアクチュエータ制御データをブロックデータとして機種毎に対応するアクチュエータ制御データを再構築するようにしてもよい。他に装飾態様の定義データなど、時間経過の中で変化する一連のデータ変更を制御するのに適する。
また、遊技者による演出選択操作のタイミングも、ファンファーレ期間に限られない。
【００６０】
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００６１】
１  遊技盤
３  遊技領域
１０  センターケース
１００  遊技制御装置（遊技制御手段）
１２０  演出制御装置（演出制御手段）
１３０  操作ＳＷ（操作受付手段）
【図１】
0005633013.tif 000002
【図２】
0005633013.tif 000003
【図３】
0005633013.tif 000004
【図４】
0005633013.tif 000005
【図５】
0005633013.tif 000006
【図６】
0005633013.tif 000007
【図７】
0005633013.tif 000008
【図８】
0005633013.tif 000009
【図９】
0005633013.tif 000010
【図１０】
0005633013.tif 000011
【図１１】
0005633013.tif 000012
【図１２】
0005633013.tif 000013
【図１３】
0005633013.tif 000014